(57)【要約】      （修正有）【課題】脇に編出しや伏目のラインが現れない無縫製ニットパンツを提供する。【解決手段】ニットパンツ２の胴部６の前部中央から股、もしくは後部中央から股にかけて、第１の編目列と第２の編目列を編出すと共に、ニットパンツの一方の脚部４に沿って、第３の編目列と第４の編目列を編出す。次いで、第１の編目列と第３の編目列にウェール方向に続く編目列を編成する。そして、ニットパンツの一方の脚部の周長分、第３の編目列に続く編目列を編成して第５の編目列に到ると、第５の編目列を第４の編目列と接合して針床から外す。さらに、第４の編目列に代えて第６の編目列を、第５の編目列に代えて第７の編目列を、針床上に編出す。以下、第９の編目列に到ると、第８の編目列を第６の編目列と接合して針床から外すと共に、第９の編目列を第２の編目列と接合して針から外す。【選択図】図１
2010156071.tif 000002
【特許請求の範囲】
【請求項１】
ニットパンツを丈に平行な方向に編成する方法において、
a)  少なくとも前後一対の針床上に、ニットパンツの胴部の前部中央から股、もしくは後部中央から股にかけて、少なくとも１個の給糸口により、第１の編目列と第２の編目列を編出すと共に、ニットパンツの一方の脚部に沿って、前記第１の編目列と接続する第３の編目列及び第２の編目列と接続する第４の編目列を編出すステップと、
b)  第２の編目列と第４の編目列に続く編目列を編成せずに、第１の編目列と第３の編目列にウェール方向に続く編目列を編成するステップと、  
c)  第１の編目列に続く編目列を編成すると共に、ニットパンツの一方の脚部の周長分、第３の編目列に続く編目列を編成して第５の編目列に到ると、第５の編目列を第４の編目列と接合して針床から外すステップと、
d)  第４の編目列に代えて第６の編目列を、第５の編目列に代えて第７の編目列を、針床上に編出すステップと、
e)  第１の編目列にウェール方向に続く編目列と、第７の編目列にウェール方向に続く編目列とを編成するステップと、
f)  ニットパンツの他方の脚部の周長分、第７の編目列に続く編目列を編成して第８の編目列に到り、かつニットパンツの胴部の周長分第１の編目列に続く編目列が編成され第９の編目列に到ると、第８の編目列を第６の編目列と接合して針床から外すと共に、第９の編目列を第２の編目列と接合して針から外すステップ、とを設けたことを特徴とする、ニットパンツの編成方法。
【請求項２】
第１の編目列の編幅に有る針の一部にのみ給糸することにより、胴部の周長を丈方向に沿って変化させ、かつ第３の編目列及び第７の編目列の編幅に有る針の一部にのみ給糸することにより、一対の脚部の周長を丈方向に沿って変化させることを特徴とする、請求項１のニットパンツの編成方法。
【請求項３】
一対の脚部と胴部とから成るニットパンツで、
編目列のコース方向がニットパンツの丈に平行で、
編出しラインでありかつ接合ラインでもあるラインが、各脚部の内側と、胴部の股から前部中央、もしくは股から後部中央とにある、ニットパンツ。
【発明の詳細な説明】
【技術分野】
【０００１】
この発明はニットパンツの編成に関する。
【背景技術】
【０００２】
発明者は、丈方向が編成でのコース方向となるニットパンツの編成方法を提案した（特許文献１：WO2005/68698）。なおこの明細書での用語として、コース方向はキャリッジなどにより編目列を形成する方向を指す。ウェール方向はコース方向に直角な方向で、ウェール方向に隣接した編目は、別のステップで形成される。ニットパンツには胴部と２本の脚部があり、丈は脚部と胴部とを結ぶ方向を、周方向は胴部を周回する方向及び脚部を周回する方向を指す。脚部の内側は１対の脚部が互いに向き合うラインを指し、外側はその反対側を指し、脚部について外側と脇とは同じ意味である。股は胴部の底部から前部中央及び後部中央を結ぶラインである。そして脚部の内側と股は、胴部の底部でクロスする。
【０００３】
特許文献１では、ニットパンツの脇からスタートして、丈に平行な方向に編成する。一対の給糸口で、一方の脚部の前と後、及び胴部の前後の左右半部を編成する。一方の脚部の前後の編成が完了すると、これらを接合し、一方の脚部を完成する。胴部の残りの前と後、及び他方の脚部の前後の編成を、一対の給糸口で続行し、他方の脇に達すると、これらを接合して、ニットパンツを完成する。
【０００４】
しかしこのようにすると、一方の脇には編出しラインが、他方の脇には編目を接合した伏目のラインが残り、左右の脇は外観が異なる。また給糸口は少なくとも一対必要なので、糸の始末が必要な箇所が多い。
【特許文献１】WO2005/68698
【発明の開示】
【発明が解決しようとする課題】
【０００５】
この発明の課題は、ニットパンツの編成で、給糸口の数を少なくでき、かつ編出しや伏目のラインが脇に現れないようにすることにある。  
【課題を解決するための手段】
【０００６】
この発明は、ニットパンツを丈に平行な方向に編成する方法において、
a)  少なくとも前後一対の針床上に、ニットパンツの胴部の前部中央から股、もしくは後部中央から股にかけて、少なくとも１個の給糸口により、第１の編目列と第２の編目列を編出すと共に、ニットパンツの一方の脚部に沿って、前記第１の編目列と接続する第３の編目列及び第２の編目列と接続する第４の編目列を編出すステップと、
b)  第２の編目列と第４の編目列に続く編目列を編成せずに、第１の編目列と第３の編目列にウェール方向に続く編目列を編成するステップと、  
c)  第１の編目列に続く編目列を編成すると共に、ニットパンツの一方の脚部の周長分、第３の編目列に続く編目列を編成して第５の編目列に到ると、第５の編目列を第４の編目列と接合して針床から外すステップと、
d)  第４の編目列に代えて第６の編目列を、第５の編目列に代えて第７の編目列を、針床上に編出すステップと、
e)  第１の編目列にウェール方向に続く編目列と、第７の編目列にウェール方向に続く編目列とを編成するステップと、
f)  ニットパンツの他方の脚部の周長分、第７の編目列に続く編目列を編成して第８の編目列に到り、かつニットパンツの胴部の周長分第１の編目列に続く編目列が編成され第９の編目列に到ると、第８の編目列を第６の編目列と接合して針床から外すと共に、第９の編目列を第２の編目列と接合して針から外すステップ、とを設けたことを特徴とする。
【０００７】
この発明では、編出しと伏目とは脚部の内側及び胴部の底部から前部中央、もしくは胴部の底部から後部中央で行われ、脇には編出しや伏目のラインが無い。従ってニットパンツの外観を左右対称にできる。また１個の給糸口でも編成できるので、編成後に糸を始末する箇所が少ない。
【０００８】
好ましくは、第１の編目列の編幅に有る針の一部にのみ給糸することにより、胴部の周長を丈方向に沿って変化させ、かつ第３の編目列及び第７の編目列の編幅に有る針の一部にのみ給糸することにより、一対の脚部の周長を丈方向に沿って変化させる。
このようにすると、いわゆる増目や減らし目を設けずに、ニットパンツの胴部や脚部の周長を丈方向に沿って変化させることができる。
【０００９】
またこの発明のニットパンツは、一対の脚部と胴部とから成り、編目列のコース方向がニットパンツの丈に平行で、編出しラインでありかつ接合ラインでもあるラインが、各脚部の内側と、胴部の股から前部中央、もしくは股から後部中央とにある。ニットパンツはいわゆるパンツ（ズボン）に限らず、下着や水着などでも良い。
この発明のニットパンツでは、脇には編出しや伏目のラインが無く、ニットパンツの外観を左右対称にできる。
【発明を実施するための最良の形態】
【００１０】
以下に本発明を実施するための最適実施例を示す。
【実施例】
【００１１】
図１〜図５に、実施例のニットパンツ２とその編成方法とを示す。図１はニットパンツ２の構造を示し、４，５は左右一対の脚部で、６は胴部である。脚部４，５の内側の対向するラインから、胴部６の股（底部）並びに胴部の前部中央もしくは後部中央にかけて、編出し伏目ライン７がある。ライン７は、胴部６の上部から股までは１本のラインで、股で２本に分岐する。８，８は脇で、脚部４，５の外側の中央と、胴部６の左右両外側の中央を通るラインである。
【００１２】
図１の矢印は編成を進める方向を示し、この方向はウェール方向で、これに直角な方向がコース方向で、コース方向は脇８に平行である。胴部６の前部中央から股に到るライン、もしくは後部中央から股に到るラインを編出し伏目ライン７とし、編出し伏目ライン７は脚部４，５で一対の編出し伏目ライン７ａ，７ｂに分岐している。編出し伏目ライン７ａが第３の編目列に対応し、編出し伏目ライン７ｂが第７の編目列に対応する。
【００１３】
図２，図３に、実施例での編成方法を示す。図２の２０は給糸口で、実施例では１個の給糸口２０で編成するが、ニットパンツ２の丈方向に平行な縞を設けて、縞の色毎に給糸口を使い分けても良い。また図２のＦＤは前針床を、ＢＤは後針床を示し、ａ〜ｆとｇ〜ｍは針を示す。また図２と図３のステップは共通である。ステップ１で編出しを行い、図２の針ｇ，ｈ，ｉが第１の編目列に、ａ，ｂ，ｃが第２の編目列に、ｊ，ｋ，ｍが第３の編目列に、ｄ，ｅ，ｆが第４の編目列に相当する。第１の編目列と第３の編目列は同じ針床上にコース方向につながっており、第２の編目列と第４の編目列は同じ針床上にコース方向につながっている。また編糸は、第１の編目列と第２の編目列との間で、針床の間をジグザグに掛け渡され、第３の編目列と第４の編目列との間でも、針床の間をジグザグに掛け渡されている。なお針数は実際よりも少なく示している。ステップ２，ステップ３で編成を行い、この間、第２の編目列及び第４の編目列はそのままで、編成しない。そして第１の編目列に続く編目列を針ｇ〜ｉで編成し、第３の編目列に続く編目列を針ｊ〜ｍで編成する。このようにして脚部４の周長分の編目列を編成すると、この時点で針ｊ〜ｍにある第５の編目列を第４の編目列と重ねて伏目する。これによって、図１の編出し伏目ライン７ａができる。
【００１４】
次いで、針ｊ〜ｍを用いて第５の編目列に代わる第７の編目列を編出し、針ｄ〜ｆを用いて第４の編目列に代わる第６の編目列を編出す。この時、ステップ５に示すように、編糸は前後の針床の間をジグザグに渡り、針ｊ〜ｍに保持された第７の編目列と、針ｄ〜ｆに保持された第６の編目列は互いに接続されている。これによって、編出し伏目ライン７ｂの編出し部ができる。さらにステップ６，ステップ７で、第２の編目列と第６の編目列をそのままにし、第１の編目列にウェール方向に続く編目列と、第７の編目列にウェール方向に続く編目列とを編成する。このようにして他方の脚部５の周長分の編成を行うと共に、胴部６の周長分の編成を行うと、第１の編目列に続く第９の編目列（針ｇ〜ｉに保持）を針ａ〜ｃに保持した第２の編目列と接合して伏目する。同様に針ｊ〜ｍに保持した第８の編目列を、針ｄ〜ｆに保持した第６の編目列と接合して伏目する。これによって編出し伏目ライン７，７ｂで伏目が行われ、ニットパンツ２が無縫製で製造される。
【００１５】
図４はニットパンツ２のパターンと編成の細部とを示し、Ａ〜Ｍの記号は編目を示し、同じ記号は同じ編目を示す。またｉの編目はＩの編目と接合され、ｊの編目はＪの編目と接合される。ｅの編目はＥの編目と接合され、ｆの編目はＦの編目と接合され、以下同様である。２２，２３は、脚部４，５や胴部６の周長を丈方向に沿って変えるための、減らし部である。コース方向は図４の左右方向なので、編幅内の一部の針にのみ給糸し、編幅内の途中でキャリッジを引き返す引き返し編成で編成することにより、簡単に減らし部２２，２３を編成できる。例えば左右を減らし部２２，２３で挟まれた領域のみを編成し、この領域にある針にのみ給糸すれば、減らし部２２，２３を実現できる。減らし部２２，２３により、ニットパンツ２に立体的な形状を付与できる。２４〜２７はクリ（マチ）で、このうちクリ２４，２５は前部のクリ、２６，２７は後部のクリで、クリ２４，２５とクリ２６，２７は幅（ウェール数）が異なっている。クリ２４〜２７の形成は、減らし部２２，２３の形成と同様に、クリ２４〜２７に相当するエリア内では針に給糸せず、編成を行わないことによって実現される。即ちクリ２４〜クリ２７の形成には、編目を重ねて伏目する操作が不要であり、またこれらに伴って編目を移動させる操作も不要である。これらのため、減らし部２２，２３やクリ２４〜２７の形成が容易で、編成効率が高く、しかもデザイン上の自由度が高い。
【００１６】
図４のｉ〜ｅの編目列は第２の編目列で、ｅ〜ｆの編目列は第４の編目列である。Ａ〜Ｂの編目列が第１の編目列、Ｂ〜Ｃの編目列が第３の編目列である。編目列ｉ〜ｆと編目列Ａ〜Ｃは一対の針床上で対向している。そして図４の上から下へと編成し、Ｇ，Ｅ，Ｆのラインまで編成すると、Ｅ〜Ｆにある編目列とｅ〜ｆの編目列とを伏目する。次いで編糸を前後の針床に交互に掛け渡し、ｋ〜ｍの編目列とＫ〜Ｍの編目列を編出す。そして編成を続行し、編目列Ｊ〜Ｍに到るとｋ〜ｍとＫ〜Ｍを接合する。また編目列Ｉ〜Ｋと編目列ｉ〜ｋとを接合して、ニットパンツ２完成する。なお胴部の上部と脚部の下部にガーター部２８を設けることにより、リブ部と同様の効果を与えている。
【００１７】
図５に出来上がったニットパンツの例を示す。編出し及び伏目のライン７，７ａ，７ｂは、胴部の前方もしくは後方中央から股と、脚部の内側に存在し、自然な印象を与える。図の１〜４の記号は編成を進める向きを示し、図の１の方向に沿って編成した後に、点線２の方向に沿ってニットパンツの裏面を編成し、編出し伏目ライン７ａを伏目し、点線３の方向に沿ってニットパンツの裏面を編成し、実線４の方向に沿って編成して、編出し伏目ライン７，７ｂで伏目して、編成を完了する。
【００１８】
実施例では以下の効果が得られる。
(1)  編出しラインと伏目ラインが重なり、かつこれらのラインが脚部の内側と股及び胴部の前部中央もしくは後部中央にあるので、すっきりした脇ラインとなる。また左右の脇ラインには編出しラインや伏目ラインが無く、ニットパンツは左右対称である。
(2)  １個の給糸口でも編成でき、従って糸の始末が必要な箇所が少ない。
(3)  クリ（マチ）や減らし及び増やしなどを、編幅内のどの針に給糸するかの制御のみで実現できる。
(4)  これらに伴ってクリの形状への制約が少なく、デザイン上の自由度が高い。
【図面の簡単な説明】
【００１９】
【図１】この発明でのニットパンツの編成方法を模式的に示す図
【図２】実施例でのニットパンツの編成方法を概略的に示す図
【図３】実施例での、ニットパンツの編成方法のブロック図
【図４】実施例でのニットパンツのパターンと編成方法を示す図
【図５】実施例のニットパンツの写真
【符号の説明】
【００２０】
２          ニットパンツ
４，５      脚部
６          胴部
７          編出し伏目ライン
８          脇
１０        股
２０        給糸口
２２，２３  減らし部
２４〜２７  クリ
２８        ガーター部
【図２】
2010156071.tif 000003
【図３】
2010156071.tif 000004
【図４】
2010156071.tif 000005
【図１】
2010156071.tif 000006
【図５】
2010156071.tif 000007